(57)【特許請求の範囲】
【請求項１】
デジタル画像信号に対して行う少なくともホワイトバランス処理を含む信号処理について、当該信号処理後と信号処理前のどちらかを選択的に切り替えて記録することが可能な電子カメラの表示方法において、
信号処理後の画像データのサムネイルをカラーで、信号処理前の画像データのサムネイルを白黒で表示を行うことを特徴とする電子カメラの表示方法。
【請求項２】
デジタル画像信号に対して行う少なくともホワイトバランス処理を含む信号処理について、当該信号処理後と信号処理前のどちらかを選択的に切り替えて記録することが可能な電子カメラの表示方法において、
信号処理後の画像データのサムネイルをポジティブ画像で、信号処理前の画像データのサムネイルをネガティブ画像で表示を行うことを特徴とする電子カメラの表示方法。
【請求項３】
デジタル画像信号に対して行う少なくともホワイトバランス処理を含む信号処理について、当該信号処理後と信号処理前のどちらかを選択的に切り替えて記録することが可能な電子カメラの表示装置において、
信号処理後の画像データのサムネイルをカラーで、信号処理前の画像データのサムネイルを白黒で表示を行う手段を有することを特徴とする電子カメラの表示装置。
【請求項４】
デジタル画像信号に対して行う少なくともホワイトバランス処理を含む信号処理について、当該信号処理後と信号処理前のどちらかを選択的に切り替えて記録することが可能な電子カメラの表示装置において、
信号処理後の画像データのサムネイルをポジティブ画像で、信号処理前の画像データのサムネイルをネガティブ画像で表示を行う手段を有することを特徴とする電子カメラの表示装置。
【発明の詳細な説明】
【０００１】
【発明の属する技術分野】
本発明は、電子カメラの表示方法及び表示装置に関するものである。
【０００２】
【従来の技術】
従来、デジタル記録を行う電子カメラは図４のように構成されていた。
【０００３】
図４において光学レンズ４０１を介して得られた像は撮像素子（ＣＣＤ）４０２で撮影され、回路４０３でＣＤＳ（色信号形成分離），ＡＧＣ（ガンマ補正）などの処理をした後、プリアンプ回路（ＰｒｅＡＭＰ）４０４で所定レベルまで増幅される。その後、Ａ／Ｄ変換回路４０５を介して、メモリ４０６に一旦記録される。そして信号処理回路４０７で信号処理され、記録媒体４０８に記録される。
【０００４】
このような従来構成の電子カメラでは、カメラ内の信号処理回路４０７を用いるためのハード的な制約から、高解像度、高画質の画像を得ることが困難であった。
【０００５】
しかしながら、近年、コンピュータのパフォーマンスの向上により、コンピュータのソフトウエアを用いても、１０００×１０００（ピクセル）程度の画像の信号処理をも高速に処理することが可能になってきている。
【０００６】
そこで、高解像度、高画質の画像を得る場合にパーソナルコンピュータ（ＰＣ）などのコンピュータを用いて、ソフトウエアで信号処理する方法が提案され、実現されている。画像情報は人間が見て初めて理解できる種類のものであるため、再生時は画像本体の表示を行う代わりに縮小画像（サムネイル）を索引画像として表示して、ファイルの中身を短時間に確認できるようにする仕様が標準的である。このような場合に、信号処理前の画像データも信号処理後の画像データも同一サムネイルで表示していた。このように同一サムネイルで表示すると、ユーザーは信号処理をまだ行っていない画像データも同様に扱ってしまい、誤操作を招くという問題やユーザーにとってわかりずらいという問題点がある。
【０００７】
【発明が解決しようとする課題】
本発明は上記不都合を解消することを課題とするものであり、より具体的には、信号処理後の画像データと信号処理前の画像データを明確に区別させるサムネイル画像を表示させることにある。
【０００８】
さらに、ソフトウエアで信号処理が終わった画像データに対しては、信号処理後のサムネイルと同一のサムネイルに切り替えて表示することであり、ユーザーが快適に使えるようにこの操作を高速に行うことを課題とするものである。
【０００９】
【課題を解決するための手段】
上記課題を解決するために、本出願に係る第１の発明は、デジタル画像信号に対して行う少なくともホワイトバランス処理を含む信号処理について、当該信号処理後と信号処理前のどちらかを選択的に切り替えて記録することが可能な電子カメラの表示方法において、信号処理後の画像データのサムネイルをカラーで、信号処理前の画像データのサムネイルを白黒で表示を行うことを特徴とする。
【００１０】
本出願に係る第２の発明は、デジタル画像信号に対して行う少なくともホワイトバランス処理を含む信号処理について、当該信号処理後と信号処理前のどちらかを選択的に切り替えて記録することが可能な電子カメラの表示方法において、信号処理後の画像データのサムネイルをポジティブ画像で、信号処理前の画像データのサムネイルをネガティブ画像で表示を行うことを特徴とする。
本出願に係る第３の発明は、デジタル画像信号に対して行う少なくともホワイトバランス処理を含む信号処理について、当該信号処理後と信号処理前のどちらかを選択的に切り替えて記録することが可能な電子カメラの表示装置において、信号処理後の画像データのサムネイルをカラーで、信号処理前の画像データのサムネイルを白黒で表示を行う手段を有することを特徴とする。
本出願に係る第４の発明は、デジタル画像信号に対して行う少なくともホワイトバランス処理を含む信号処理について、当該信号処理後と信号処理前のどちらかを選択的に切り替えて記録することが可能な電子カメラの表示装置において、信号処理後の画像データのサムネイルをポジティブ画像で、信号処理前の画像データのサムネイルをネガティブ画像で表示を行う手段を有することを特徴とする。
【００１１】
【発明の実施の形態】
図１に本発明の実施の形態を示す。
【００１２】
１０１は撮影する被写体の光学像を結像させるための光学系、１０２は結像した光学像を電気信号に変換するためのＣＣＤ（Ｃｈｅｒｇｅ  Ｃｏｕｐｌｅｄ  Ｄｅｖｉｃｅ）、１０３はＣＣＤからの出力を補正するためのＣＤＳ，ＡＧＣ、１０４は信号を増幅するためのプリアンプ、１０５は映像信号をデジタル信号に変換するＡＤ変換器、１０６は書き込み可能な電気メモリ、１０７は信号処理をする信号処理回路、１０８はサムネイル画像（縮小画像）を構築するためのデータ間引き回路、１０９はデータ間引き回路によって作られたサムネイル画像と前記信号処理回路１０７の出力とを混合する混合器、１１０はサムネイル画像と信号処理をする前のデータとを切り替えるスイッチである。このスイッチ１１０の切り替えによりサムネイル画像データと信号処理をする前のデータ（ＣＣＤＲａｗデータ又は生データと呼ぶ）のいずれかを出力する。信号処理された画像データには、フラグ付加回路１１１によって信号処理済みのフラグがアトリビュート情報に付けられる。このフラグによって、信号処理後のデータかＣＣＤＲａｗデータの区別が付くようになされている。
【００１３】
前記フラグ付加回路１１１の出力は、記録装置１１２に記録されるかあるいは出力端子ＯＵＴに取出されるようになっている。
【００１４】
１１３は外部ＰＣ（パーソナルコンピュータ）であり、前記カメラ内の記録装置１１２の記録内容を再生するか、あるいは出力端子ＯＵＴからの信号をダイレクトに入力端子ＩＮに入力するかして、表示装置１１４に表示するようになっている。
【００１５】
１１５はＣＰＵ（中央処理制御部）を含む制御回路であり、前記カメラ内の各処理回路を制御するものである。
【００１６】
前記構成要素１０１乃至１１２及び１１５が電子カメラ内に内蔵されるものであり、１１３及び１１４が外部ＰＣ関連要素である。
【００１７】
次に図２及び図３のフローチャートをも参照して本発明の実施の形態の作用を説明する。
【００１８】
図２は前記カメラ内での作用を説明するためのものであり、図３は外部ＰＣによるソフトウエア上での作用を説明するためのものである。
【００１９】
先ず、図２を参照してカメラ内での処理を説明する。
【００２０】
処理がスタートすると（Ｓ３０１）、信号処理されたか否かを判別し（Ｓ３０２）、信号処理されたものであれば、信号処理回路１０７の出力とデータ間引き回路１０８の出力とを混合したデータ（サムネイル画像）を、混合器１０９及びスイッチ１１０を介して出力する（Ｓ３０３）。この出力をフラグ付加回路１１１に入力し、信号処理済フラグをアトリビュートとして付加して出力する（Ｓ３０５）。
【００２１】
前記信号処理か否かの判断ステップＳ３０２において「ＮＯ」であった場合は、メモリ１０６から処理前データ（生データ）をスイッチ１１０を切換えて出力する（Ｓ３０４）。
【００２２】
次に図３のフローチャートにより、処理前後のデータの表示と、処理前のデータの処理の作用を説明する。この処理はもっぱら外部ＰＣのソフトウエアによって行われるものである。
【００２３】
ＰＣの処理がスタートする（Ｓ２０１）と、次に信号処理済フラグ有か否かが判断され（Ｓ２０２）、フラグ有のときは送られて来たサムネイル画像をカラー表示する（Ｓ２０３）。フラグ無のときは、ＰＣ側で白黒サムネイル画像を作成し（Ｓ２０４）、そのサムネイル画像を白黒で表示する（Ｓ２０５）。前記カラー表示はＹ色差方式又はＲＧＢ方式のいずれかを用いて行なう。
【００２４】
このようにして、ユーザーは表示されたサムネイル画像を見て、それがカラー表示か白黒表示かによって処理済の画像か否かを容易に判別することができる。
【００２５】
次に、上記サムネイル画像が信号処理必要なものか否かを判断し、必要であれば、ＰＣ内現像処理スタート指令が出たか否かを判断し（Ｓ２０６）、スタートのときは現像処理に移行する（Ｓ２０７）。ここで、ＰＣ内のソフトウエア上での信号処理を現像処理と称すこととするが、この現像処理は送られて来た前記生データ（ＣＣＤＲａｗデータ）をもとにブラックバランス、ホワイトバランス、フィルタリング、ガンマ補正などの一連の処理を行う。
【００２６】
現像処理が完了したか否かの判別が行われ（Ｓ２０８）、完了した場合には、次に信号処理済フラグをアトリビュートとして付加する処理が行われる（Ｓ２０９）。
【００２７】
このようにして信号処理が行われたサムネイル画像は、ステップＳ２０２に戻り、ステップＳ２０２を介してカラー表示されることになる（Ｓ２０３）。
【００２８】
以上のフローにより、信号処理が行われていなかったデータはＰＣ内で信号処理が行われて、カラー表示されることとなる。
【００２９】
（他の実施の形態）
前記実施の形態では、処理済のサムネイル画像の作成をカメラ側で行うものとしたが、これをＰＣ側で行うこととすれば、カメラ内にデータ間引き回路やそれを制御する構成要素を省略することができるから、カメラの小形化や構成の簡素化が図れるという利点がある。
【００３０】
また、前記実施の形態では、ＣＣＤからのポジティブ画像を処理する場合を示したが、ネガティブ画像を扱うようにしてもよい。
【００３１】
ネガティブ画像を処理する場合には、前記図３のフローチャート中のステップＳ２０３及びＳ２０４の手順を次のように変えればよい。つまり、画像の最大値８ｂｉｔデータであれば、２５５からのＹのデータを引き、また、色差信号に関してもＹ信号同様に反転させてデータを作り表示する。ＲＧＢの場合は一旦Ｙ色差に変換して、上記同様の操作を行う。
【００３２】
このようにネガのサムネイル画像を表示することとすれば、よりリアルなＣＣＤＲａｗデータを表現することができる。
【００３３】
【発明の効果】
本発明によれば、ユーザーがサムネイル画像を一目するだけで信号処理前の画像データか信号処理後の画像データかを容易に区別でき、表示するための誤操作を軽減することが可能となる。
【００３４】
また、信号処理後に新たにサムネイル画像を構築しないので、高速にサムネイル画像を切り替えることが可能となる。
【図面の簡単な説明】
【図１】本発明の実施の形態のブロック図である。
【図２】信号処理前後のデータの取扱いを示すフローチャートである。
【図３】サムネイル画像の表示の態様を示すフローチャートである。
【図４】従来の電子カメラの構成ブロック図である。
【符号の説明】
１０１  光学系
１０２  ＣＣＤ
１０６  メモリ
１０７  信号処理回路
１０８  データ間引き回路
１０９  混合器
１１０  スイッチ
１１１  フラグ付加回路
１１２  記録装置
１１３  外部ＰＣ
１１４  表示装置
【図１】
0003745057.tif 000002
【図２】
0003745057.tif 000003
【図３】
0003745057.tif 000004
【図４】
0003745057.tif 000005